(57)【要約】【課題】ある特定部数単位での仕分けを自動的に行うことが可能なプリンタ装置を提供する。【解決手段】ホストからの印刷条件に基づいて部数単位のソートを行うよう、排紙制御手段５を制御するシステム制御手段２を備えた。【選択図】      図１
2004268354.tif 000002
【特許請求の範囲】
【請求項１】
ホストからの印刷条件に基づいて部数単位のソートを行うように排紙制御手段を制御するシステム制御手段を備えたことを特徴とするプリンタ装置。
【請求項２】
請求項１記載のプリンタ装置において、前記システム制御手段は、部数単位でソートする場合に、何部で束ねるかを設定する部数設定手段を有することを特徴とするプリンタ装置。
【請求項３】
請求項２記載のプリンタ装置において、前記システム制御手段は、部数単位のソート／ステープルを組合わせて印刷させるソート／ステープル手段を有することを特徴とするプリンタ装置。
【請求項４】
請求項２記載のプリンタ装置において、前記システム制御手段は、回転機能との組合わせにより印刷させる回転機能組合わせ手段を有することを特徴とするプリンタ装置。
【請求項５】
請求項２記載のプリンタ装置において、前記システム制御手段は、シフト機能との組合わせにより印刷させるシフト機能組合わせ手を有することを特徴とするプリンタ装置。
【請求項６】
請求項２記載のプリンタ装置において、前記システム制御手段は、束ねた単位で排紙先を変更し印刷させる排紙先変更手段を有することを特徴とするプリンタ装置。
【発明の詳細な説明】
【０００１】
【発明の属する技術分野】
本発明は、ホストで作成された印刷データを受信して印刷出力するプリンタ装置に関するものである。
【０００２】
【従来の技術】
上記のプリンタ装置に関連して、特許文献１〜３等の公知技術がある。
【特許文献１】特開２００２−００７２１３公報
【特許文献２】特開２０００−１８１６４２公報
【特許文献３】特開２００１−０４７６９０公報
【０００３】
【発明が解決しようとする課題】
印刷出力された用紙をソートする機能を有するプリンタ装置が一般的であるが、従来は、１部単位でのソートを行っている。従って例えば５部単位毎に資料をまとめたいときには、手動にて実施しなければならず手間が掛かるという不具合があった。
本発明は、この問題を解決し、ある特定部数単位での仕分けを自動的に行うことが可能なプリンタ装置を提供することを目的とする。
【０００４】
【課題を解決するための手段】
上記目的を達成するために、請求項１記載の発明は、ホストからの印刷条件に基づいて部数単位のソートを行うように排紙制御手段を制御するシステム制御手段を備えたことを特徴とする。
請求項２記載の発明は、請求項１記載のプリンタ装置において、前記システム制御手段は、部数単位でソートする場合に、何部で束ねるかを設定する部数設定手段を有することを特徴とする。
請求項３記載の発明は、請求項２記載のプリンタ装置において、前記システム制御手段は、部数単位のソート／ステープルを組合わせて印刷させるソート／ステープル手段を有することを特徴とする。
請求項４記載の発明は、請求項２記載のプリンタ装置において、前記システム制御手段は、回転機能との組合わせにより印刷させる回転機能組合わせ手段を有することを特徴とする。
請求項５記載の発明は、請求項２記載のプリンタ装置において、前記システム制御手段は、シフト機能との組合わせにより印刷させるシフト機能組合わせ手を有することを特徴とする。
請求項６記載の発明は、請求項２記載のプリンタ装置において、前記システム制御手段は、束ねた単位で排紙先を変更し印刷させる排紙先変更手段を有することを特徴とする。
【０００５】
【発明の実施の形態】
以下、図面により本発明の実施の形態を詳細に説明する。
図１は本発明の実施の実施の形態に係るプリンタ装置のシステムブロック図である。本プリンタ装置は、データ受信部１、システム制御部２、頁展開部３、データ保存部４、排紙制御部５を備える。
図２はユーザーが本機能を設定する時に使用するインターフェース（ドライバ画面）を示す図である。ユーザーは、図２の機能を指定する。以下、図２で指定された動きについて説明する。
データ受信部１は、データを受信し、システム制御部２にデータ受信があったことを通知する。システム制御部２は、データ受信部１より受信データを引き取り、頁展開部３に頁展開処理をするように通知する。また、システム制御部２は、図２で指定されている機能のデータを読み取る。
頁展開部３は、データ受信部１よりデータを引き取って頁毎にイメージを作成し、できあがったイメージをデータ保存部４に蓄積する。全ての頁が蓄積し終わったら、データ保存部４はその旨をシステム制御部２に通知する。システム制御部２は図２で指定された読み取ったデータを排紙制御部５に渡し、印刷を指示する。
排紙制御部５は、データ受信部１から受け取った印刷条件に従い、最初の５部をＬＥＦ（Ｌｏｎｇ  Ｅｄｇｅ  Ｆｅｅｄ）で給紙・印字・ステープルし、次の５部をＳＥＦ（Ｓｈｏｒｔ  Ｅｄｇｅ  Ｆｅｅｄ）で給紙・印字・ステープルし、最後の５部を再びＬＥＦで給紙・印字・ステープルする。
図３は５部を１束にする様子を示す概念図、図４は回転束ソートを示す概念図、図５はシフト束ソートを示す概念図、図６はメイルボックス束ソートを示す概念図である。本発明ではこのような出力結果が得られる。
【０００６】
【発明の効果】
以上説明したように、請求項１によれば、目的に応じた部数を束ねることができ、仕分けに掛かる時間を短縮することができる。
請求項２によれば、例えば、１グループに５名の人がいて、６グループあった時、５部単位毎に束ねて、６束の仕上げ機能が提供できる。これにより、資料の配布を容易にすることができる。
請求項３によれば、請求項２において、ステープルと組合わせることにより、仕分け処理を容易にすることができる。
請求項４によれば、例えば、請求項２において、同じ用紙サイズで、異方向の用紙が入っていた場合、最初の５部をＬＥＦで給紙し、次の５部をＳＥＦで給紙し、さらに次の５部は、ＬＥＦで給紙を行い、この順にてソートを繰り返すことで５部単位毎の回転仕分けができ、その後の仕分け、配布を容易にすることができる。
請求項５によれば、例えば、請求項２において、最初の５部出力後、排紙トレイをシフトし、次の５部を出力することにより、その後の仕分け、配布を容易にすることができる。
請求項６によれば、例えば、請求項２において、最初の５部をメイルボックス１ビンに排紙、次の５部をメイルボックス２に排紙という様に、メイルボックスビン毎に仕分けすることができる。
【図面の簡単な説明】
【図１】本発明の実施の実施の形態に係るプリンタ装置のシステムブロック図である。
【図２】ユーザーが本機能を設定する時に使用するインターフェース（ドライバ画面）を示す図である。
【図３】５部を１束にする様子を示す概念図である。
【図４】回転束ソートを示す概念図である。
【図５】シフト束ソートを示す概念図である。
【図６】メイルボックス束ソートを示す概念図である。
【符号の説明】
１  データ受信部
２  システム制御部
３  頁展開部
４  データ保存部
５  排紙制御部
【図１】
2004268354.tif 000003
【図２】
2004268354.tif 000004
【図３】
2004268354.tif 000005
【図４】
2004268354.tif 000006
【図５】
2004268354.tif 000007
【図６】
2004268354.tif 000008